(57)【特許請求の範囲】
【請求項１】
髪用塗布剤を収納する容器と、これに係合する合成樹脂製のブラシとからなり、前記容器内の髪用塗布剤が、合成樹脂製のブラシの複数の櫛歯の中空部を通って、該櫛歯に設けられている吐出口から櫛歯の表面に吐出する髪用塗布剤の塗布用具において、前記櫛歯の少なくとも一方の側の側面周縁に、間隔を置いて複数の突出部が形成されていることを特徴とする髪用塗布剤の塗布用具。
【請求項２】
前記櫛歯の両側の側面周縁に、間隔を置いて複数の突出部が形成されていることを特徴とする請求項１に記載の髪用塗布剤の塗布用具。
【請求項３】
前記突出部が、その先端部分を湾曲状に形成した突起からなる小櫛歯部であることを特徴とする請求項１又は請求項２に記載の髪用塗布剤の塗布用具。
【請求項４】
前記突出部が、湾曲面をなす波型形状の小櫛歯部であることを特徴とする請求項１又は請求項２に記載の髪用塗布剤の塗布用具。
【請求項５】
隣接して配置されている櫛歯において、突出部を形成する山部と谷部とが、交互に互い違いに位置していることを特徴とする請求項１〜請求項４のいずれかの１項に記載の髪用塗布剤の塗布用具。
【発明の詳細な説明】
【０００１】
【発明の属する技術分野】
本発明は、整髪料や毛染め剤等の髪用塗布剤の塗布用具に関するものであり、特にブラシの櫛歯の表面に吐出させた髪用塗布剤の保持能力が大きく、又長い髪に髪用塗布剤を塗布する場合であっても、髪を傷めることなく、かつまんべんなく十分に塗布することのできる髪用塗布剤の塗布用具を提供する。
【０００２】
【従来の技術】
髪用塗布剤の塗布用具は、一般に髪用塗布剤を収納する容器と、これに着脱自在に係合する合成樹脂製のブラシとからなり、髪用塗布剤を塗布するときに合成樹脂製のブラシを髪用塗布剤を収納してある容器に係合させ、ブラシの基部に設けてあるボタンを押す等してブラシの櫛歯から髪用塗布剤を吐出させるものである。そして、前記櫛歯は、通常平面視でほぼ楕円形に形成されており、その両側の側面周縁は滑らかに形成されている。
【０００３】
【発明が解決しようとする課題】
ところで、前記した構造によるこの種の髪用塗布剤の塗布用具は、櫛歯の髪用塗布剤の保持能力が十分でなく、そのために塗布剤の塗布操作中に髪用塗布剤が櫛歯から落下する液ダレ現象が生じることがある。
【０００４】
又、長い髪に髪用塗布剤を塗布する場合には、髪の先端に近くになると、櫛歯によって髪を手前方向に引いて髪をしごきながら塗布剤を塗布する操作を行なうのが普通であるが、このときに毛髪が櫛歯から外れてしまうために、１回の髪梳きの操作によって髪の先端迄を塗布することができない。
【０００５】
これに対して、本発明の髪用塗布剤の塗布用具は前記の欠点を除去するものであり、髪用塗布剤の保持能力が大きく、しかも長い髪に塗布する場合に、髪の先端に近くになったときに櫛歯によって髪を手前方向に引いて髪をしごきながら塗布剤を塗布する操作を行なっても、毛髪が櫛歯から外れてしまうことがなく、髪の先端迄もまんべんなく十分に、かつ髪を傷めることなく髪用塗布剤を塗布することのできる用具を提供する。
【０００６】
【課題を解決するための手段】
上記の課題は、以下の構成による本発明の髪用塗布剤の塗布用具によって達成される。すなわち本発明は、髪用塗布剤を収納する容器と、これに係合する合成樹脂製のブラシとからなり、前記容器内の髪用塗布剤が、合成樹脂製のブラシの複数の櫛歯の中空部を通って、該櫛歯に設けられている吐出口から櫛歯の表面に吐出する髪用塗布剤の塗布用具であって、前記櫛歯の少なくとも一方の側の側面周縁に、間隔を置いて複数の突出部が形成されている髪用塗布剤の塗布用具からなる。
【０００７】
従って、本発明の髪用塗布剤の塗布用具を特徴付ける構成である櫛歯の構造は、櫛歯の１方の側の側面周縁に複数の突出部が形成されているものであっても、あるいは櫛歯の両側の側面周縁に複数の突出部が形成されているものであってもよい。
【０００８】
櫛歯の少なくとも一方の側面周縁に形成されている前記突出部は、その先端部分を湾曲状に形成した突起からなる小櫛歯部からなるものであることが好ましい。
【０００９】
又櫛歯の少なくとも一方の側面周縁に形成されている前記突出部は、湾曲面をなす波型形状の小櫛歯部からなるものであることが好ましい。
【００１０】
更に、隣接して配置されている櫛歯において、突出部を形成する山部と谷部とが、交互に互い違いに位置していることが好ましい。
【００１１】
【作用】
上記した構成による本発明の髪用塗布剤の塗布用具は、通常の塗布用具と同様に、塗布用具に設けてあるボタン等の押圧手段を操作することにより、容器内の髪用塗布剤が合成樹脂製のブラシを通って櫛歯の中空部に導かれ、続いて櫛歯の適宜位置に設けてある吐出口から、櫛歯の表面に吐出される。
【００１２】
しかして本発明の髪用塗布剤の塗布用具においては、櫛歯の少なくとも一方の側面周縁に複数の突出部が設けられているので、櫛歯の側面周縁に到達した髪用塗布剤が、側面周縁に間隔を置いて形成されている突出部同士の間での表面張力によって保持されるために、髪用塗布剤の液だれ現象がなく、櫛歯面に髪用塗布剤が十分に保持される。
【００１３】
又、前記の突出部は櫛歯の側面周縁よりほぼ垂直に突出しているため、この突出部によって、ブラシの本来の櫛歯による梳き方向とは異なる方向に髪を梳くことができる、すなわちブラシの本来の櫛歯が上方より下方に向かって髪を梳くときには、突出部によって髪を手前方向に梳くことができる。
【００１４】
これによって、櫛歯の側面周縁に設けられている複数の突出部が、小櫛歯の作用を果たす。すなわち、長い髪に髪用塗布剤を塗布する場合には、髪の先端部分近くでブラシを手前方向にしごくことにより、前記の突出部によって長い髪の先端部分を十分に梳くことができ、まんべんなく髪用塗布剤を塗布することができる。
【００１５】
なお、前記の突出部が櫛歯の一方の側面周縁に形成されている塗布用具にあっては、この櫛歯の突出部の形成面を毛髪に当接するようにして使用するものであることは勿論である。
【００１６】
【実施の態様】
以下、図面に示す実施例品に基づいて、本発明の髪用塗布剤の塗布用具の具体的な構成を説明する。
【００１７】
図１〜図３に示す本発明の髪用塗布剤の塗布用具の１実施例品は、髪用塗布剤が収納されている容器１と、該容器１に嵌め込み又は螺合等の手段によって着脱自在に係合される合成樹脂製のブラシ２とで構成されている。
【００１８】
合成樹脂製のブラシ２におけるブラシ本体３には複数の櫛歯４、４、・・・・が設けられており、合成樹脂製のブラシ２のブラシ本体３と各々の櫛歯４、４、・・・・とは、それぞれに形成されている中空部（図示せず）を通して連通しており、又前記合成樹脂製のブラシ２におけるブラシ本体３の中空部の内部は前記容器１に連通している。更に、櫛歯４には、該櫛歯４に形成されている前記中空部に連通して吐出口５が形成されている。
【００１９】
容器１内に収納されている髪用塗布剤は、ボタンあるいは他の押圧手段等により、容器１より合成樹脂製のブラシ２のブラシ本体３に設けてある中空部を通って櫛歯４の中空部に導かれ、続いて櫛歯４の表面に形成されている吐出口５より吐出される。なお、これらの構造は、通常の髪用塗布剤の塗布用具と同様である。
【００２０】
前記の構造において、図２及び図３に示すように、各々の櫛歯４には、その両側の側面周縁６、６に凹凸を形成する突出部からなる突起７、７、・・・・が、互いに間隔を置いて複数設けられている。
【００２１】
突起７、７、・・・・は、櫛歯４の側面周縁よりほぼ垂直方向に適宜の長さを有して形成されており、隣接する各々の突起７の間隔は、櫛歯４の側面周縁６の近傍に吐出された髪用塗布剤が、その表面張力によって突起７、７、・・・・同士の間に十分に保持され得る間隔になっている。
【００２２】
これにより、従来の髪用塗布剤の塗布用具のように、櫛歯４の側面周縁６から髪用塗布剤が落下し易いという液ダレ現象がなく、櫛歯４における髪用塗布剤の保持能力の高いものになる。
【００２３】
又、図示実施例品においては、前記櫛歯４における突起７は、隣接して配置されている他の櫛歯４の突起７と夫々対応してほぼ直線上に配置されている。これらの複数の突起７、７、・・・・は、図２及び図３から分かるように、合成樹脂製のブラシ２の本来の櫛歯４による髪の梳き方向とは異なる方向に髪を梳くことのできる小櫛歯を形成する。
【００２４】
これにより、例えば長い髪に髪用塗布剤を塗布する場合でも、髪の上方から下方近くまでは櫛歯４による本来の髪の梳きで、上方から下方に髪を梳きながら髪用塗布剤を塗布し、髪の先端に近くになると櫛歯４を手前に引くことによって髪をしごきながら前記突起７によって髪を梳くことができ、毛髪から櫛歯が外れることがなく、髪用塗布剤を塗布することができる。
【００２５】
なお、櫛歯４及び各突起７、７、・・・・の各先端部分は湾曲状に形成してあり、髪梳きによって頭部及び髪を傷めないようにしてある。
【００２６】
図４〜図６は、本発明の髪用塗布剤の塗布用具の他の実施例品を示すものであり、櫛歯４の両側の側面周縁６、６には、凹凸が形成される波型形状の突出部７が形成されている。
【００２７】
又、図５及び図６に示すように、側面周縁６に波型形状をなす突出部７を有する櫛歯４は、各々隣接して配置されている櫛歯４において、突出部７を形成する山部８と谷部９とが互い違いになるようにして位置している。
【００２８】
これにより、櫛歯４の表面及びその側面周縁６に対する髪用塗布剤の付着が、ブラシ全体に亙ってより一層均一になり、髪全体により一層効率的に髪用塗布剤を塗布することができる。
【００２９】
更に本実施例品においては、櫛歯４の側面周縁６に形成されている突出部７が波型形状をなしているので、櫛歯４によって髪を梳くときに櫛歯４の髪通りがよく、これによって髪を柔らかく梳くことができるために、髪を傷めるのをより完全に回避することができる。
【００３０】
なお、図４〜図６に示す髪用塗布剤の塗布用具の実施例品におけるその他の構造は、前記した図１〜図３に示す実施例品の場合と同様である。
【００３１】
更に本発明の髪用塗布剤の塗布用具は、図４〜図５に示す髪用塗布剤の塗布用具のように櫛歯４の側面周縁６に形成されている突出部７が波型形状をなしているときに、隣接して配置されている櫛歯４の突出部７が、上記のような互い違いになる位置関係をなすように限定されるものではない。
【００３２】
例えば図１〜図３に示す実施例品からなる髪用塗布剤の塗布用具の場合にも、これを櫛歯４の側面周縁６に形成されている突出部７が、隣接して配置されている櫛歯４同士の間で互い違いになる位置関係になるように配置してもよい。
【００３３】
又同様にして、図４〜図６に示す実施例品からなる髪用塗布剤の塗布用具の場合にも、波型形状の突出部を形成する山部と山部、及び谷部と谷部が、隣接して配置されている櫛歯４において、重なるようにして配置されてもよい。
【００３４】
【発明の効果】
上記の構成からなる本発明の髪用塗布剤の塗布用具によれば、各々の櫛歯の側面周縁に設けられている複数の突出部により、櫛歯上の髪用塗布剤の保持能力が向上し、それによって櫛歯からの髪用塗布剤の液ダレを防止でき、ひいては該塗布用具の使用時に髪用塗布剤が落下して衣服等に付着するおそれがなくなる。
【００３５】
又、本発明の髪用塗布剤の塗布用具における櫛歯の側面周縁に形成されている突出部は、小櫛歯の作用を果たし、これによって髪の細部に亙って効率的に髪用塗布剤を塗布することができる。
【００３６】
特に長い髪に髪用塗布剤を塗布する場合には、髪の先端に近くになったときに、櫛歯を手前に引くことによって髪をしごきながら前記突部によって髪を梳く操作を行なうことができ、これにより長い髪であっても髪用塗布剤を効率よく、まんべんなく塗布することができる。
【図面の簡単な説明】
【図１】本発明の髪用塗布剤の塗布用具の１実施例品を示す一部断面図である。
【図２】図１に示す髪用塗布剤の塗布用具における櫛歯の平面図である。
【図３】図１に示す髪用塗布剤の塗布用具における櫛歯の斜視図である。
【図４】本発明の髪用塗布剤の塗布用具の別の実施例品を示す概略図である。
【図５】図４の髪用塗布剤の塗布用具における櫛歯の平面図である。
【図６】図４の髪用塗布剤の塗布用具における櫛歯の斜視図である。
【符号の説明】
１・・・・髪用塗布剤を収納する容器
２・・・・合成樹脂製のブラシ
３・・・・合成樹脂製のブラシ２におけるブラシ本体
４・・・・合成樹脂製のブラシ２における櫛歯
５・・・・櫛歯４に設けられている吐出口
６・・・・櫛歯４の側面周縁
７・・・・櫛歯４の側面周縁６に形成されている突部
８・・・・波型形状突出部の山部
９・・・・波型形状突出部の谷部
【図１】
0003688406.tif 000002
【図２】
0003688406.tif 000003
【図３】
0003688406.tif 000004
【図４】
0003688406.tif 000005
【図５】
0003688406.tif 000006
【図６】
0003688406.tif 000007